(57)【要約】【課題】有機発光表示装置およびそれの駆動方法を提供する。【解決手段】有機発光表示装置は、複数の画素を備える表示パネル、画素にスキャン信号を提供するスキャン駆動部、画素にデータ信号を提供するデータ駆動部、およびフレームデータの少なくとも一部に対する平均値に基づいてフレームの間の動機を合わせるためのポーチ（ｐｏｒｃｈ）区間のポーチデータを生成して、ポーチデータをデータ駆動部で提供するポーチデータ生成部を含む。【選択図】図３
2016091003.tif 000002
【特許請求の範囲】
【請求項１】
複数のスキャンライン、前記スキャンラインと交差する第１データラインないし第ｍ（ただ、ｍは１より大きい整数）データライン、および複数の画素を備える表示パネルと、
前記画素にスキャン信号を提供するスキャン駆動部と、
前記画素にデータ信号を提供するデータ駆動部と、
フレームデータの少なくとも一部に対する平均値に基づいてポーチ（ｐｏｒｃｈ）データを生成して、前記ポーチデータを前記データ駆動部で提供するポーチデータ生成部を含み、
前記データ駆動部は、ポーチ区間で前記ポーチデータに基づいて前記データ信号を生成して、アクティブ区間で前記フレームデータに基づいて前記データ信号を生成することを特徴とする有機発光表示装置。
【請求項２】
前記ポーチデータ生成部は、第ｋ（ただ、ｋは、１以上ｍ以下の整数）データラインの前記フレームデータの平均値を計算して前記第ｋデータラインの前記ポーチデータを生成することを特徴とする請求項１に記載の有機発光表示装置。
【請求項３】
前記第ｋデータラインの前記ポーチデータは、前記第ｋデータラインに連結された前記すべての画素に相応する前記フレームデータの平均値と設定されることを特徴とする請求項２に記載の有機発光表示装置。
【請求項４】
前記第ｋデータラインの前記ポーチデータは、前記第ｋデータラインに連結された前記画素のうちの既指定された一部に相応する前記フレームデータの平均値と設定されることを特徴とする請求項２に記載の有機発光表示装置。
【請求項５】
前記第ｋデータラインの前記ポーチデータは、前記第ｋデータラインに連結された前記画素のうちのランダムで選ばれた一部に相応する前記フレームデータの平均値と設定されることを特徴とする請求項２に記載の有機発光表示装置。
【請求項６】
前記画素は、それぞれ同一な色光を発光する画素を含む複数の画素郡を含み、
前記ポーチデータ生成部は、前記画素郡単位で前記フレームデータの平均値を計算して前記画素郡それぞれに対する前記ポーチデータを設定することを特徴とする請求項１に記載の有機発光表示装置。
【請求項７】
前記画素は、第１データラインに連結されて第１色光を表示する第１画素列、第２データラインに連結されて第２色光を表示する第２画素列、および第３データラインに連結されて第３色光を表示する第３画素列を含み、
前記第１色光、前記第２色光、および前記第３色光は、互いに異なった赤色光、緑色光、および青色光のうち、いずれか一つであって、
前記ポーチデータ生成部は、前記第１画素列、前記第２画素列、および前記第３画素列を含む画素列単位で前記フレームデータの平均値を計算して前記ポーチデータを設定することを特徴とする請求項１に記載の有機発光表示装置。
【請求項８】
前記画素は、第１データラインに連結されて第１色光および第２色光を交互して表示する第１画素列、および第２データラインに連結されて第３色光を表示する第２画素列を含み、
前記第１色光および前記第２色光は、互いに異なった赤色光または青色光であり、前記第３色光は緑色光であって、
前記ポーチデータ生成部は、前記第１色光、前記第２色光、および前記第３色光を含む発光色単位で前記フレームデータの平均値を計算して、
前記第１画素列に相応する前記ポーチデータは、前記第１色光に相応する前記フレームデータの平均値および前記第２色光に相応する前記フレームデータの平均値が交互して出力されるように設定されて、
前記第２画素列に相応する前記ポーチデータは、前記第３色光に相応する前記フレームデータの平均値と設定されることを特徴とする請求項１に記載の有機発光表示装置。
【請求項９】
前記データ駆動部および前記表示パネルの間に位置して、ライン選択信号に応答して前記データ信号を第１データラインおよび第２データラインに選択的に提供するライン選択部をさらに含み、
前記ポーチデータ生成部は、前記第１データラインに連結された画素に相応する前記フレームデータの平均値を計算して前記第１データラインの前記ポーチデータを設定して、前記第２データラインに連結された前記画素に相応する前記フレームデータの平均値を計算して前記第２データラインの前記ポーチデータを設定することを特徴とする請求項１に記載の有機発光表示装置。
【請求項１０】
前記画素に発光制御信号を提供する発光制御駆動部をさらに含み、
前記ポーチ区間と前記発光制御信号のオン−区間が一部区間においてオーバーラップ（ｏｖｅｒｌａｐ）されることを特徴とする請求項１に記載の有機発光表示装置。
【発明の詳細な説明】
【技術分野】
【０００１】
本発明は、表示装置に関して、より詳細には有機発光表示装置および有機発光表示装置の駆動方法に関する。
【背景技術】
【０００２】
有機発光ダイオード（ｏｒｇａｎｉｃ  ｌｉｇｈｔ  ｅｍｉｔｔｉｎｇ  ｄｉｏｄｅ；ＯＬＥＤ）は陽極（ａｎｏｄｅ）から提供される正孔と陰極（ｃａｔｈｏｄｅ）から提供される電子が、陽極および陰極の間の発光層で結合して発光する。有機発光ダイオードを用いると視野角が広く、応答速度が速く、厚さが薄く、電力消耗が低い有機発光表示装置を実現することができる。
【０００３】
有機発光表示装置は、表示パネルおよび駆動部を含む。表示パネルは、複数のゲートライン、複数のデータラインおよび複数の画素を含む。駆動部は、複数のスキャンラインにスキャン信号を供給するスキャン駆動部およびデータラインにデータ信号を供給するデータ駆動部を含む。
【０００４】
デジタル駆動方式で駆動される有機発光表示装置の画素回路は比較的簡単な構造を有する。その反面、アナログ駆動方式で駆動される有機発光表示装置の画素回路は、安定的に動作するために比較的複雑な構造を有する。したがって、アナログ駆動方式の有機発光表示装置は表示パネルが大型化されて解像度が高まるにつれ開口率が低くなってもよい。開口率を高めるために画素回路でライン間の間隔を狭める場合、ライン間の干渉に係るクロストーク現象が発生して、駆動トランジスタのゲート電圧が変更されて表示品質が低くなってもよい。
【先行技術文献】
【特許文献】
【０００５】
【特許文献１】韓国公開特許第２００８−００１５０８４号公報
【特許文献２】公開特許第２００９−０５８５９２号公報
【特許文献３】韓国公開特許第２００８−００６６４３１号公報
【発明の概要】
【発明が解決しようとする課題】
【０００６】
本発明の目的の一つは、クロストークによるストライプ現象を防止する有機発光表示装置を提供することにある。
【０００７】
本発明の他の目的は、前記有機発光表示装置の駆動方法を提供することにある。
ただし、本発明の目的は、前記目的で限定されるのではなく、本発明の思想および領域から逸脱しない範囲で多様に拡張される。
【課題を解決するための手段】
【０００８】
本発明の一目的を達成するために、本発明の実施例に係る有機発光表示装置は、複数のスキャンライン、前記スキャンラインと交差する第１データラインないし第ｍ（ただし、ｍは、１より大きい整数）データライン、および複数の画素を備える表示パネル、前記画素にスキャン信号を提供するスキャン駆動部、前記画素にデータ信号を提供するデータ駆動部、およびフレームデータの少なくとも一部に対する平均値に基づいてフレームの間の動機を合わせるためのポーチ（ｐｏｒｃｈ）区間のポーチデータを生成して、前記ポーチデータを前記データ駆動部で提供するポーチデータ生成部を含んでもよい。
【０００９】
一実施例によると、前記ポーチデータ生成部は、第ｋ（ただし、ｋは、１以上ｍ以下の整数）データラインの前記フレームデータの平均値を計算して前記第ｋデータラインの前記ポーチデータを設定してもよい。
【００１０】
一実施例によると、前記第ｋデータラインの前記ポーチデータは、前記第ｋデータラインに連結された前記すべての画素に相応する前記フレームデータの平均値が設定されてもよい。
【００１１】
一実施例によると、前記第ｋデータラインの前記ポーチデータは、前記第ｋデータラインに連結された前記画素のうちの既に指定された一部に相応する前記フレームデータの平均値と設定されてもよい。
【００１２】
一実施例によると、前記第ｋデータラインの前記ポーチデータは、前記第ｋデータラインに連結された前記画素のうちのランダムで選ばれた一部に相応する前記フレームデータの平均値が設定されてもよい。
【００１３】
一実施例によると、前記ポーチデータ生成部は、前記画素が表示する発光色単位で前記フレームデータの平均値を計算して前記ポーチデータを設定してもよい。
【００１４】
一実施例によると、前記ポーチデータは、前記画素のうちの既指定された一部に相応する前記フレームデータの平均値が設定されてもよい。
【００１５】
一実施例によると、前記ポーチデータは、前記画素のうちのランダムで選ばれた一部に相応する前記フレームデータの平均値が設定されてもよい。
【００１６】
一実施例によると、前記画素は、前記第１データラインに連結されて第１色光を表示する第１画素列、前記第２データラインに連結されて第２色光を表示する第２画素列、および前記第３データラインに連結されて第３色光を表示する第３画素列を含み、前記第１色光、前記第２色光、および前記第３色光は互いに異なった赤色光、緑色光、および青色光のうち、いずれか一つであってもよい。
【００１７】
一実施例によると、前記ポーチデータ生成部は、前記第１画素列、前記第２画素列、および前記第３画素列を含む画素列単位で前記フレームデータの平均値を計算して前記ポーチデータを設定してもよい。
【００１８】
一実施例によると、前記ポーチデータ生成部は、前記第１色光、前記第２色光、および前記第３色光を含む発光色単位で前記フレームデータの平均値を計算して前記ポーチデータを設定してもよい。
【００１９】
一実施例によると、前記画素は、前記第１データラインに連結されて第１色光および第２色光を交互して表示する第１画素列、および前記第２データラインに連結されて第３色光を表示する第２画素列を含み、前記第１色光および前記第２色光は互いに異なった赤色光または青色光であり、前記第３色光は緑色光であってもよい。
【００２０】
一実施例によると、前記ポーチデータ生成部は、前記第１色光、前記第２色光、および前記第３色光を含む発光色単位で前記フレームデータの平均値を計算して、前記第１画素列に相応する前記ポーチデータは、前記第１色光に相応する前記フレームデータの平均値および前記第２色光に相応する前記フレームデータの平均値が交互して出力されるように設定されて、前記第２画素列に相応する前記ポーチデータは、前記第３色光に相応する前記フレームデータの平均値が設定されてもよい。
【００２１】
一実施例によると、前記データ駆動部および前記表示パネルの間に位置して、ライン選択信号に応答して前記データ信号を前記第１データラインおよび前記第２データラインに選択的に提供するライン選択部をさらに含んでもよい。
【００２２】
一実施例によると、前記ポーチデータ生成部は前記第１データラインに連結された前記画素に相応する前記フレームデータの平均値を計算して前記第１データラインの前記ポーチデータを設定して、前記第２データラインに連結された前記画素に相応する前記フレームデータの平均値を計算して前記第２データラインの前記ポーチデータを設定してもよい。
【００２３】
一実施例によると、前記画素に発光制御信号を提供する発光制御駆動部をさらに含み、前記ポーチ区間と前記発光制御信号のオン−区間が一部区間においてオーバーラップ（ｏｖｅｒｌａｐ）されてもよい。
【００２４】
本発明の他の目的を達成するために、発明の実施例に係るフレームの間の動機を合わせるためのポーチ区間および有機発光ダイオードの発光を制御する発光制御信号のオン−区間が一部区間においてオーバーラップされる有機発光表示装置の駆動方法はフレームデータの少なくとも一部に対する平均値に基づいて前記ポーチ区間のポーチデータを生成する段階、および前記ポーチ区間で前記ポーチデータに相応するデータ信号を複数の画素に提供する段階を含んでもよい。
【００２５】
一実施例によると、前記ポーチデータを生成する段階はデータライン単位で前記フレームデータの平均値を計算して前記データラインの前記ポーチデータを設定してもよい。
【００２６】
一実施例によると、前記データラインの前記ポーチデータは、前記データラインに連結された前記すべての画素に相応する前記フレームデータの平均値が設定されてもよい。
【００２７】
一実施例によると、前記データラインの前記ポーチデータは、前記データラインに連結された前記画素のうちの既指定された一部に相応する前記フレームデータの平均値が設定されてもよい。
【００２８】
一実施例によると、前記データラインの前記ポーチデータは、前記データラインに連結された前記画素のうちのランダムで選ばれた一部に相応する前記フレームデータの平均値が設定されてもよい。
【００２９】
一実施例によると、前記ポーチデータを生成する段階は、前記画素が表示する発光色単位で前記フレームデータの平均値を計算して前記ポーチデータを設定してもよい。
【００３０】
一実施例によると、前記ポーチデータは、前記画素のうちの既指定された一部に相応する前記フレームデータの平均値が設定されてもよい。
【００３１】
一実施例によると、前記ポーチデータは、前記画素のうちのランダムで選ばれた一部に相応する前記フレームデータの平均値が設定されてもよい。
【発明の効果】
【００３２】
本発明の実施例に係る有機発光表示装置は、フレームデータの平均値に基づいてポーチデータを生成することによってデータラインの寄生キャパシタによるクロストーク（ｃｒｏｓｓｔａｌｋ）の影響を最小化してもよい。したがって、前記有機発光表示装置は、ポーチ区間でデータ出力によって発生するストライプ現象を防止してもよい。
【００３３】
本発明の実施例に係る有機発光表示装置の駆動方法は、発光時間を制御するディミング（ｄｉｍｍｉｎｇ）を用いて低輝度駆動モードで表示品質を高めてもよい。
【００３４】
ただし、本発明の効果は、前記効果で限定されるのではなく、本発明の思想および領域から逸脱しない範囲で多様に拡張される。
【図面の簡単な説明】
【００３５】
【図１】本発明の実施例に係る有機発光表示装置を示すブロック図である。
【図２】図１の有機発光表示装置に含まれた画素の一例を示す回路図である。
【図３】ポーチ区間でポーチデータが設定された一例を示す波形図である。
【図４】データライン単位でフレームデータの平均値を計算してポーチデータを設定する例を示す図である。
【図５】データライン単位でフレームデータの平均値を計算してポーチデータを設定する例を示す図である。
【図６】データライン単位でフレームデータの平均値を計算してポーチデータを設定する例を示す図である。
【図７】発光色単位でフレームデータの平均値を計算してポーチデータを設定する例を示す図である。
【図８】発光色単位でフレームデータの平均値を計算してポーチデータを設定する例を示す図である。
【図９】発光色単位でフレームデータの平均値を計算してポーチデータを設定する例を示す図である。
【図１０】ポーチ区間と発光制御信号のオン−区間が一部区間においてオーバーラップされる一例を示す図である。
【図１１】図１の有機発光表示装置でクロストークによるストライプ現象を防止する一例を示す図である。
【図１２】図１の有機発光表示装置の画素配置の一例を示すブロック図である。
【図１３】図１２の画素配置でポーチデータを設定する一例を示す波形図である。
【図１４】図１の有機発光表示装置の画素配置の他の例を示すブロック図である。
【図１５】図１３の画素配置でポーチデータを設定する一例を示す波形図である。
【図１６】図１の有機発光表示装置の画素配置のまた他の例を示すブロック図である。
【図１７】図１６の画素配置でポーチデータを設定する一例を示す波形図である。
【図１８】図１の有機発光表示装置の画素配置の他の例を示すブロック図である。
【図１９】図１８の画素配置でポーチデータを設定する一例を示す波形図である。
【図２０】本発明の実施例に係る有機発光表示装置の駆動方法を示す手順図である。
【発明を実施するための形態】
【００３６】
以下、添付した図面を参照して、本発明の実施例をより詳細に説明する。図面上の同一な構成要素に対しては同一である類似した参照符号を用いる。
図１は、本発明の実施例に係る有機発光表示装置を示すブロック図である。
図１を参照すると、有機発光表示装置１０００は、表示パネル１００、スキャン駆動部２００、データ駆動部３００、発光制御駆動部４００、電源供給部５００、制御部６００およびポーチデータ生成部６５０を含んでもよい。
【００３７】
表示パネル１００は、複数のスキャンライン（ＳＬ１、ＳＬ２、...、ＳＬｎ）を経由してスキャン駆動部２００と連結されて、複数のデータライン（ＤＬ１、ＤＬ２、...、ＤＬｍ）を経由してデータ駆動部３００と連結されてもよい。また、表示パネル１００は複数の発光制御ライン（ＥＭ１、ＥＭ２、...、ＥＭｎ）を経由して発光制御駆動部４００と連結されてもよい。表示パネル１００は、複数のスキャンライン（ＳＬ１、ＳＬ２、...、ＳＬｎ）および複数のデータライン（ＤＬ１、ＤＬ２、...、ＤＬｍ）の交差部ごとに位置されるｎ＊ｍ個の画素（ＰＸ）を含んでもよい。
【００３８】
スキャン駆動部２００は、複数のスキャンライン（ＳＬ１、ＳＬ２、...、ＳＬｎ）を経由して複数の画素（ＰＸ）それぞれにスキャン信号を提供してもよい。
データ駆動部３００は、複数のデータライン（ＤＬ１、ＤＬ２、...、ＤＬｍ）を経由して複数の画素（ＰＸ）それぞれにデータ信号を提供してもよい。データ駆動部３００は、フレームデータおよびポーチデータを含む出力映像データ（ＤＡＴＡ１）を制御部６００から受信してもよい。データ駆動部３００は、ポーチ区間においてポーチデータに相応するデータ信号を生成して、ポーチデータに相応するデータ信号を画素（ＰＸ）に出力してもよい。ここで、ポーチ区間はフレームの間でフレームの間の動機を合わせるための区間であり、映像表示のためのフレームデータが出力されない区間を意味する。また、データ駆動部３００はアクティブ区間においてフレームデータに基づいてデータ信号を生成して、フレームデータに相応するデータ信号を画素（ＰＸ）に出力してもよい。ここで、アクティブ区間は映像表示のためのフレームデータが出力される区間を意味する。
【００３９】
発光制御駆動部４００は、複数の発光制御ライン（ＥＭ１、ＥＭ２、...、ＥＭｎ）を通じて複数の画素（ＰＸ）それぞれに発光制御信号を提供してもよい。
電源供給部５００は、電源ラインを通じて複数の画素（ＰＸ）それぞれに高電源電圧（ＥＬＶＤＤ）、低電源電圧（ＥＬＶＳＳ）および初期電源電圧（Ｖｉｎｔ）を提供してもよい。
【００４０】
制御部６００は、スキャン駆動部２００、データ駆動部３００、発光制御駆動部４００、および電源供給部５００のうち、少なくとも一つ以上を制御してもよい。制御部６００は、外部のグラフィック機器のような画像ソースから入力制御信号（ＣＴＬ）および入力映像データ（ＤＡＴＡ）を受信してもよい。入力制御信号（ＣＴＬ）は、メインクロック信号、垂直動機信号、水平動機信号、データイネーブル信号などを含んでもよい。また、制御部６００は、出力映像データ（ＤＡＴＡ１）および複数のタイミング制御信号（ＣＴＬ１、ＣＴＬ２、ＣＴＬ３、ＣＴＬ４）を生成してスキャン駆動部２００、データ駆動部３００、発光制御駆動部４００、および電源供給部５００に供給することによってそれらを制御してもよい。
【００４１】
ポーチデータ生成部６５０は、フレームデータの少なくとも一部に対する平均値に基づいてフレームの間の動機を合わせるためのポーチ（ｐｏｒｃｈ）区間のポーチデータを生成して、ポーチデータをデータ駆動部３００で提供してもよい。ポーチデータに相応するデータ信号は、垂直動機信号のオン−区間の開始時点から次のフレームの初めてのデータ信号が入ってくる時点まで画素（ＰＸ）に提供されてもよい。ポーチデータは、毎フレーム区間で当該フレームデータの平均値を計算して、計算された平均値に基づいて生成されてもよい。一実施例において、ポーチデータ生成部６５０は、データライン単位でフレームデータの平均値を計算してそれぞれのデータラインのポーチデータを設定してもよい。他の実施例において、ポーチデータ生成部６５０は、発光色単位でフレームデータの平均値を計算してポーチデータを設定してもよい。ただし、ポーチデータ生成部６５０でポーチデータを生成する方法に対しては図４ないし図９を参照して詳しく説明する。
【００４２】
有機発光表示装置１０００は、ポーチデータ生成部６５０を用いてフレームデータの平均値に基づいてポーチデータを生成してもよい。したがって、有機発光表示装置１０００は、データラインの寄生キャパシタによるクロストークの影響を最小化させてもよく、ポーチ区間でデータ出力によって発生するストライプ現象を防止してもよい。
【００４３】
例えば、図１ではポーチデータ生成部６５０が制御部６００に含まれたことで図示したが、ポーチデータ生成部６５０は制御部６００の外部に存在するか又は、制御部６００およびデータ駆動部３００が統合されたＩＣに存在してもよい。
図２は、図１の有機発光表示装置に含まれた画素の一例を示す回路図である。図３は、ポーチ区間でポーチデータが設定された一例を示す波形図である。
【００４４】
図２および図３を参照すると、画素回路で発生する寄生キャパシタおよびクロストークに対する影響を減らすためにポーチデータをデータ信号の平均電圧に設定してもよい。
【００４５】
図２に図示されたように、画素（ＰＸ）は、複数のトランジスタ（Ｔ１ないしＴ７）およびキャパシタ（Ｃｓｔ、Ｃｏｌｅｄ）を含んでもよい。例えば、画素（ＰＸ）は、高電源電圧（ＥＬＶＤＤ）および有機発光ダイオードのアノード電極に連結されて、データ信号に相応する駆動電流を有機発光ダイオードに印加する第１トランジスタ（Ｔ１）、第１トランジスタ（Ｔ１）のソース電極およびデータライン（ＤＬｍ）に連結された第２トランジスタ（Ｔ２）、第１トランジスタ（Ｔ１）のゲート電極およびドレーン電極に連結された第３トランジスタ（Ｔ３）、初期化電圧（Ｖｉｎｔ）および第１トランジスタ（Ｔ１）のゲート電極に連結された第４トランジスタ（Ｔ４）、高電源電圧（ＥＬＶＤＤ）および第１トランジスタ（Ｔ１）のソース電極に連結された第５トランジスタ（Ｔ５）、第１トランジスタ（Ｔ１）のドレーン電極および有機発光ダイオードのアノード電極に連結された第６トランジスタ（Ｔ６）、および初期化電圧（Ｖｉｎｔ）および有機発光ダイオードのアノード電極に連結された第７トランジスタ（Ｔ７）を含んでもよい。
【００４６】
具体的に、第４トランジスタ（Ｔ４）は、駆動キャパシタ（Ｃｓｔ）および第１トランジスタ（Ｔ１）のゲート電極の電圧を初期化電圧（Ｖｉｎｔ）でリセット下記ために第ｎ−１スキャン信号に応答して初期化電圧（Ｖｉｎｔ）を駆動キャパシタ（Ｃｓｔ）および第１トランジスタ（Ｔ１）のゲート電極に印加してもよい。第７トランジスタ（Ｔ７）は、有機発光ダイオードのアノード電極の電圧を初期化電圧（Ｖｉｎｔ）でリセットさせるために第ｎ−１スキャン信号に応答して初期化電圧（Ｖｉｎｔ）を有機発光ダイオードのアノード電極に印加してもよい。
【００４７】
第２トランジスタ（Ｔ２）は、第ｎスキャン信号に応答してデータ信号を第１トランジスタ（Ｔ１）で印加してもよい。
【００４８】
第３トランジスタ（Ｔ３）は、第ｎスキャン信号に応答して第１トランジスタ（Ｔ１）をダイオード連結させることによって第１トランジスタ（Ｔ１）の敷居電圧を補償してもよい。第２トランジスタ（Ｔ２）と第３トランジスタ（Ｔ３）は、それぞれゲート電極に同一な第ｎスキャン信号を印加受けて動作するので第１トランジスタ（Ｔ１）の敷居電圧が補償される期間の間データ信号が印加されてもよい。
【００４９】
第１トランジスタ（Ｔ１）は、データ信号に相応する駆動電流を有機発光ダイオードに印加してもよい。
【００５０】
第６トランジスタ（Ｔ６）は、第１トランジスタ（Ｔ１）のドレーン電極と有機発光ダイオードのアノード電極の間に位置して第ｎ発光制御信号に応答して発光の制御を行ってもよい。
【００５１】
表示パネルが大型化されて解像度が高まるにつれ、開口率を高めるために画素（ＰＸ）に含まれたラインの間の間隔が狭く形成されてもよい。この際、データライン（ＤＬｍ）と駆動トランジスタである第１トランジスタ（Ｔ１）のゲート電極と連結されたＧノード（Ｇ）のＧノードラインが水平に配置されて、Ｇノードラインとデータライン（ＤＬｍ）間に寄生キャパシタ（Ｃｐａｒａ）が形成されてもよい。寄生キャパシタ（Ｃｐａｒａ）のキャパシタンスが相対的に大きい場合、クロストークによって第１トランジスタ（Ｔ１）のゲート電極に印加される電圧が変更されてもよい。
【００５２】
例えば、第１トランジスタ（Ｔ１）のゲート電極と連結されたＧノード（Ｇ）の電圧（Ｖｎｏｄｅ（Ｇ））は下記［数学式１］を用いて計算されてもよい。
【００５３】
【数１】
2016091003.tif 000003
【００５４】
ここで、Ｖｄａｔａは、データ信号の電圧、Ｖｔｈは、第１トランジスタ（Ｔ１）の敷居電圧、ＣｏｘＴ３は、第３トランジスタ（Ｔ３）の酸化物層による静電容量、Ｃｔｏｔａｌ（ｇ）は、Ｇノード全体に対する静電容量、ＶＧＨは、スキャン信号の高電位電圧、ＶＧＬは、スキャン信号の低電位電圧、およびＶｃｒｏｓｓｔａｌｋは、クロストークによる変動電圧を意味する。
【００５５】
Ｇノード（Ｇ）の電圧（Ｖｎｏｄｅ（ｇ））は、クロストークによって影響を受けてもよい。Ｇノード（Ｇ）の電圧（Ｖｎｏｄｅ（ｇ））（すなわち、第１トランジスタ（Ｔ１）のゲート電極に印加される電圧）が変更されると、第１トランジスタ（Ｔ１）によって流れる駆動電流の大きさが変更されてもよい。したがって、クロストークによって有機発光ダイオードの輝度が変更されてストライプ現象が発生する可能性がある。
【００５６】
具体的に、ポーチ区間以外のアクティブ区間において、クロストークによる変動電圧（Ｖｃｒｏｓｓｔａｌｋ）は［数学式２］を用いて計算されてもよい。
【００５７】
【数２】
2016091003.tif 000004
【００５８】
ここで、Ｃｄａｔａ−ｎｏｄｅ（Ｇ）は、データラインとＧノードの間の静電容量、Ｃｔｏｔａｌ（ｇ）は、Ｇノード全体に対する静電容量、Ｖｎｏｄｅ（Ｇ）はＧノードの電圧、ＡＶＧ（Ｖｄａｔａ）は、各フレーム区間のデータ信号の平均電圧を意味する。
【００５９】
アクティブ区間でクロストークによる変動電圧は、Ｇノード（Ｇ）の電圧およびデータ信号の平均電圧の差に比例してもよい。すなわち、アクティブ区間では各フレーム区間のデータ信号の平均電圧に相応してカップリング（ｃｏｕｐｌｉｎｇ）が発生する可能性がある。
【００６０】
その反面、ポーチ区間の間発光する場合、クロストークによる変動電圧（Ｖｃｒｏｓｓｔａｌｋ）は［数学式３］を用いて計算されてもよい。
【００６１】
【数３】
2016091003.tif 000005
【００６２】
ここで、Ｃｄａｔａ−ｎｏｄｅ（ｇ）は、データラインとＧノードの間の静電容量、Ｃｔｏｔａｌ（ｇ）は、Ｇノード全体に対する静電容量、Ｖｎｏｄｅ（ｇ）はＧノードの電圧、Ｖｐｏｒｃｈｄａｔａは、ポーチデータ電圧を意味する。
【００６３】
したがって、ポーチ区間でクロストークによる変動電圧は、Ｇノード（Ｇ）の電圧およびポーチデータ電圧の差に比例してもよい。すなわち、ポーチ区間ではポーチデータ電圧に相応してカップリングが発生する。
【００６４】
図３に図示されたように、ポーチ区間（ＰＯＲＣＨ）で発生するストライプ現象を防止するために、ポーチ区間（ＰＯＲＣＨ）で発光する領域とアクティブ区間（ＡＣＴＩＶＥ）で発光する領域に対するクロストークによる変動電圧を同一な水準に設定してもよい。［数学式２］と［数学式３］を考慮する時、ポーチ区間（ＰＯＲＣＨ）で発光する領域とポーチ区間（ＰＯＲＣＨ）で発光しない領域のクロストークによる変動値を同一な水準に設定するためにポーチ区間（ＰＯＲＣＨ）にポーチデータ電圧をデータ信号の平均電圧に設定（すなわち、Ｖｐｏｒｃｈｄａｔａ ＝ ＡＶＧ（Ｖｄａｔａ））することで、クロストークによるストライプ現象を防止してもよい。
【００６５】
したがって、ポーチデータは、フレームデータの平均値に基づいて生成されることによってデータラインの寄生キャパシタによるクロストークの影響を最小化してもよい。
【００６６】
例えば、図２では画素が７個のトランジスタと２個のキャパシタを含むことで図示したが、画素はデータラインによってクロストークが発生してもよい多様な構造を有してもよい。
【００６７】
図４ないし図６は、データライン単位でフレームデータの平均値を計算してポーチデータを設定する例を示す図である。
【００６８】
図４ないし図６を参照すると、ポーチデータ生成部は、第ｋ（ただ、ｋは１以上ｍ以下の整数）データラインのフレームデータの平均値を計算して第ｋデータラインのポーチデータを設定してもよい。すなわち、データライン単位でフレームデータの平均値を計算してデータラインのポーチデータが設定されてもよい。データライン単位でフレームデータの平均値を計算する場合、データラインによるクロストークの影響を減らしてもよい。
【００６９】
図４に図示されたように、第ｋデータラインのポーチデータは、第ｋデータラインに連結されたすべての画素に相応するフレームデータの平均値と設定されてもよい。例えば、第１データライン（ＤＬ１）に連結されたすべての画素に相応するフレームデータの平均値を計算して、ポーチ区間で第１データライン（ＤＬ１）に計算されたフレームデータの平均値に相応する電圧を印加してもよい。データラインに連結されたすべての画素を用いてフレームデータの平均値を計算する場合、ポーチデータをフレームデータの平均値で正確に設定してポーチ区間でクロストークによる影響を最小化するのでストライプ現象を防止してもよい。
【００７０】
図５に図示されたように、第ｋデータラインのポーチデータは、第ｋデータラインに連結された画素のうち、既指定された一部に相応するフレームデータの平均値と設定されてもよい。データラインに連結されたすべての画素を用いてフレームデータの平均値を計算する場合、表示装置の負荷が大きくなることができて、駆動集積回路の大きさが大きくなってもよい。したがって、データラインのポーチデータは、データラインに連結された画素のうち、既指定された一部に相応するフレームデータの平均値に設定することによって、表示装置の負荷を減らしてもよい。例えば、第１データライン（ＤＬ１）に連結された奇数画素に相応するフレームデータの平均値を計算して、ポーチ区間で第１データライン（ＤＬ１）に計算されたフレームデータの平均値に相応する電圧を印加することによって、クロストークによるストライプ現象を防止してもよい。図５では全体画素個数の１／２に該当する画素を指定して平均値を計算したが、平均値を計算するための指定された画素の個数は、表示装置の負荷を考慮して調整されてもよい。
【００７１】
図６に図示されたように、第ｋデータラインのポーチデータは、第ｋデータラインに連結された画素のうち、ランダムで選ばれた一部に相応するフレームデータの平均値と設定されてもよい。データラインに連結された画素のうち、既指定された画素を用いて平均値を計算する場合、全体平均とサンプリング（ｓａｍｐｌｉｎｇ）平均の差が発生するキラーパターン（ｋｉｌｌｅｒ  ｐａｔｔｅｒｎ）が存在してもよい。例えば、平均値を計算するために指定された画素に平均値との大きい差を有するデータが入力された場合、全体平均と同様のサンプリング平均を得ることはできない。したがって、データラインのポーチデータはデータラインに連結された画素のうち、ランダムで設定された一部に相応するフレームデータの平均値に設定することによって、表示装置の負荷を減らしながらも正確な平均値を計算してもよい。
【００７２】
図７ないし図９は、発光色単位でフレームデータの平均値を計算してポーチデータを設定する例を示す図である。
【００７３】
図７ないし図９を参照すると、ポーチデータ生成部は、画素が表示する発光色単位でフレームデータの平均値を計算してポーチデータを設定してもよい。表示装置で表示する発光色それぞれは輝度に及ぼす影響が違うので、クロストークによるストライプ現象を防止するために発光色単位でフレームデータの平均値を計算してもよい。例えば、赤色（Ｒ）、緑色（Ｇ）、青色（Ｂ）で映像を表示して、列および行方向で赤色（Ｒ）、緑色（Ｇ）、青色（Ｂ）画素が順次的に配置されたモザイク型表示装置で、発光色単位でフレームデータの平均値を計算してポーチデータを設定してもよい。
【００７４】
図７に図示されたように、すべての画素に対して発光色単位でフレームデータの平均値を計算してデータを設定してもよい。赤色を発光する赤色画素（Ｒ）に相応するフレームデータの平均値を計算して、緑色を発光する緑色画素（Ｇ）に相応するフレームデータの平均値を計算して、青色を発光する青色画素（Ｂ）に相応するフレームデータの平均値を計算してもよい。計算された平均値を用いてポーチデータを設定して、ポーチ区間においてポーチデータに相応するデータ信号を印加してもよい。例えば、ポーチ区間で赤色画素（Ｒ）、緑色画素（Ｇ）、および青色画素（Ｂ）それぞれに相応するフレームデータの平均値を順次的に出力することによって、クロストークによるストライプ現象を防止してもよい。
【００７５】
図８に図示されたように、ポーチデータは、画素のうち、既指定された一部に相応するフレームデータの平均値と設定されてもよい。表示パネル１００に含まれたすべての画素を用いて発光色単位の平均値を計算する場合、表示装置の負荷が大きくなることができて、駆動集積回路の大きさが大きくなってもよい。したがって、ポーチデータは画素のうち、既指定された一部に相応するフレームデータの平均値に設定することによって、表示装置の負荷を減らしてもよい。例えば、赤色、緑色、青色で映像を表示する表示装置であり、スキャンラインと同一な方向で赤色画素（Ｒ）、緑色画素（Ｇ）、青色画素（Ｂ）が順次的に配置されて、奇数スキャンラインに連結された画素に相応するフレームデータの平均値を発光色単位で計算して、ポーチ区間で計算されたフレームデータの平均値に相応する電圧を印加することによって、クロストークによるストライプ現象を防止してもよい。図８では全体画素個数の１／２に該当する画素を指定して平均値を計算したが、平均値を計算するための指定された画素の個数は表示装置の負荷を考慮して調整されてもよい。
【００７６】
図９に図示されたように、ポーチデータは画素のうち、ランダムで選ばれた一部に相応するフレームデータの平均値が設定されてもよい。表示パネル１００に含まれた画素のうち、既指定された画素を用いて平均値を計算する場合、全体平均とサンプリング平均の差が発生するキラーパターンが存在してもよい。例えば、平均値を計算するために指定された画素に平均値と大きい差を有するデータが入力された場合、全体平均と同様のサンプリング平均を得ることはできない。したがって、ポーチデータは、表示パネル１００に含まれた画素のうち、ランダムで設定された一部に相応するフレームデータの平均値に設定することによって、表示装置の負荷を減らしながらも正確な平均値を計算してもよい。
【００７７】
図１０は、ポーチ区間と発光制御信号のオン−区間が一部区間においてオーバーラップされる一例を示す図である。図１１は、図１の有機発光表示装置でクロストークによるストライプ現象を防止する一例を示す図である。
【００７８】
図１０および図１１を参照すると、ポーチデータをデータ信号の平均電圧に設定することによってポーチ区間（ＰＯＲＣＨ）と発光制御信号のオン−区間が一部区間においてオーバーラップされる場合に発生し得るストライプ現象を防止してもよい。
【００７９】
図１０に図示されたように、有機発光表示装置は発光時間を制御するディミング（ｄｉｍｍｉｎｇ）を行ってもよい。例えば、あるフレームで発光制御信号のオン−区間が４回存在する場合、第７ないし第１１発光制御ライン（ＥＭ７ないしＥＭ１１）でポーチ区間（ＰＯＲＣＨ）と発光制御信号のオン−区間がオーバーラップされてもよい。したがって、第７ないし第１１発光制御ライン（ＥＭ７ないしＥＭ１１）に相応する画素はポーチデータによって影響を受けてもよい。
【００８０】
図１１に図示されたように、発光区間が全体の１．５％に設定して、２ｎit ２２４階調で表現した際、ストライプ現象が防止されることを確認した。比較例において、ポーチデータをブラック（ｂｌａｃｋ）データで印加する場合、第７ないし第１１発光制御ライン（ＥＭ７ないしＥＭ１１）でブラックデータであるポーチデータによるクロストークによって暗いラインのストライプ現象が発生した。他の比較例において、ポーチ区間（ＰＯＲＣＨ）間以前のフレームの最後のデータが維持されるようにポーチデータを設定した場合、第７ないし第１１発光制御ライン（ＥＭ７ないしＥＭ１１）で以前のフレームの最後のデータによってデータラインとＧノードラインのクロストークの大きさが決定されてもよい。したがって、キラーパターンが存在して最後に印加されたデータパターンによってストライプ現象が発生した。このように、ディミングモードで、ポーチ区間（ＰＯＲＣＨ）でデータラインに対するクロストークはポーチデータに影響を受けるので、ポーチデータの値に係る輝度の変化がユーザの目に認識されてもよい。特に、発光時間を制御するディミングを用いて低輝度駆動モードで有機発光表示装置を駆動する場合、クロストークによって発生する輝度の変化が相対的に大きいため、ストライプ現象が著しく示してもよい。
【００８１】
その反面、実験例において、ポーチデータがデータライン単位でフレームデータの平均値を計算して生成されて、ポーチ区間（ＰＯＲＣＨ）でポーチデータに相応するデータ信号が印加された場合、クロストークによるストライプ現象が防止されることを確認した。すなわち、ポーチ区間（ＰＯＲＣＨ）で発光する領域（ＯＲ）でのクロストークの大きさとポーチ区間（ＰＯＲＣＨ）区間で発光しない領域でのクロストークの大きさが同様に設定されることによって、ポーチ区間（ＰＯＲＣＨ）で発光する領域（ＯＲ）とポーチ区間（ＰＯＲＣＨ）区間で発光しない領域の境界で輝度の変化が減らされてもよい。したがって、ディミングを用いて低輝度駆動モードでも均一な輝度を維持してストライプ現象を防止してもよい。
【００８２】
有機発光表示装置は、フレームデータの平均値に基づいてポーチデータを生成することによってデータラインの寄生キャパシタによるクロストークの影響を最小化してもよい。したがって、有機発光表示装置はポーチ区間（ＰＯＲＣＨ）でデータ出力によって発生するストライプ現象を防止してもよい。
【００８３】
図１２は、図１の有機発光表示装置の画素配置の一例を示すブロック図である。図１３は、図１２の画素配置でポーチデータを設定する一例を示す波形図である。
【００８４】
図１２および９を参照すると、表示パネル１００ａに含まれた赤色画素（Ｒ）、緑色画素（Ｇ）および青色画素（Ｂ）がストライプ（ｓｔｒｉｐｅ）構造に配置された場合、画素列単位または発光色単位でフレームデータの平均値を計算してポーチデータが設定されてもよい。
【００８５】
図１２に図示されたように、表示パネル１００ａに含まれた画素は第１データライン（ＤＬ１）に連結されて第１色光を表示する第１画素列（ＰＣ１）、第２データライン（ＤＬ２）に連結されて第２色光を表示する第２画素列（ＰＣ２）、および第３データライン（ＤＬ３）に連結されて第３色光を表示する第３画素列（ＰＣ３）を含み、第１色光、第２色光、および第３色光は互いに異なった赤色光、緑色光、および青色光のうち、いずれか一つであってもよい。すなわち、表示パネル１００ａは、赤色画素（Ｒ）、緑色画素（Ｇ）および青色画素（Ｂ）がストライプ形態に配置されて一つのデータラインが一つの発光色を表示してもよい。
【００８６】
図１３に図示されたように、ポーチデータがフレームデータの平均電圧と設定されることによってデータラインに対するクロストークの影響を減らしてもよい。
【００８７】
一実施例において、ポーチデータ生成部は、第１画素列（ＰＣ１）、第２画素列（ＰＣ２）、および第３画素列（ＰＣ３）を含む画素列単位でフレームデータの平均値を計算してポーチデータを設定してもよい。すなわち、ポーチデータ生成部は同一なデータラインに連結された画素列単位でフレームデータの平均値を計算してデータラインのポーチデータを設定してもよい。例えば、第１データライン（ＤＬ１）に連結された第１画素列（ＰＣ１）は、赤色画素（Ｒ）を含み、第１画素列（ＰＣ１）のポーチデータは第１画素列（ＰＣ１）に相応するフレームデータの平均値と設定されてもよい。例えば、第１画素列（ＰＣ１）のポーチデータは第１画素列（ＰＣ１）に連結されたすべての画素を用いて平均値を計算して設定されてもよい。それとは違い、第１画素列（ＰＣ１）のポーチデータは第１画素列（ＰＣ１）に連結された画素のうち、既指定された画素またはランダムで指定された画素を用いて平均値を計算して設定されてもよい。
【００８８】
他の実施例において、ポーチデータ生成部は第１色光、第２色光、および第３色光を含む発光色単位でフレームデータの平均値を計算してポーチデータを設定してもよい。すなわち、表示パネル１００ａに含まれた画素に対して発光色単位でフレームデータの平均値を計算してポーチデータを設定してもよい。例えば、赤色画素（Ｒ）に相応するフレームデータの平均値を計算して、計算された平均値を、赤色を表示する画素列のポーチデータに設定してもよい。例えば、赤色を表示する画素列のポーチデータはすべての赤色画素を用いて平均値を計算してもよい。それとは異なり、赤色を表示する画素列のポーチデータは既指定された画素またはランダムで指定された画素を用いて平均値を計算してもよい。
【００８９】
図１４は、図１の有機発光表示装置の画素配置の他の例を示すブロック図である。図１５は、図１３の画素配置でポーチデータを設定する一例を示す波形図である。
【００９０】
一実施例において、ポーチデータ生成部は、第１画素列（ＰＣ１）、第２画素列（ＰＣ２）、および第３画素列（ＰＣ３）を含む画素列単位でフレームデータの平均値を計算してポーチデータを設定してもよい。すなわち、ポーチデータ生成部は同一なデータラインに連結された画素列単位でフレームデータの平均値を計算してデータラインのポーチデータを設定してもよい。例えば、第１データライン（ＤＬ１）に連結された第１画素列（ＰＣ１）は、赤色画素（Ｒ）を含み、第１画素列（ＰＣ１）のポーチデータは、第１画素列（ＰＣ１）に相応するフレームデータの平均値と設定されてもよい。例えば、第１画素列（ＰＣ１）のポーチデータは、第１画素列（ＰＣ１）に連結されたすべての画素を用いて平均値を計算して設定されてもよい。それとは異なり、第１画素列（ＰＣ１）のポーチデータは第１画素列（ＰＣ１）に連結された画素のうち、既指定された画素またはランダムで指定された画素を用いて平均値を計算して設定されてもよい。
【００９１】
他の実施例において、ポーチデータ生成部は、第１色光、第２色光、および第３色光を含む発光色単位でフレームデータの平均値を計算してポーチデータを設定してもよい。すなわち、表示パネル１００ａに含まれた画素に対して発光色単位でフレームデータの平均値を計算してポーチデータを設定してもよい。例えば、赤色画素（Ｒ）に相応するフレームデータの平均値を計算して、計算された平均値を、赤色を表示する画素列のポーチデータに設定してもよい。例えば、赤色を表示する画素列のポーチデータはすべての赤色画素を用いて平均値を計算してもよい。それとは違い、赤色を表示する画素列のポーチデータは、既指定された画素またはランダムで指定された画素を用いて平均値を計算してもよい。
【００９２】
図１４は、図１の有機発光表示装置の画素配置の他の例を示すブロック図である。図１５は、図１３の画素配置でポーチデータを設定する一例を示す波形図である。
【００９３】
図１４および図１５を参照すると、表示パネル１００ｂに含まれた赤色画素（Ｒ）、緑色画素（Ｇ）および青色画素（Ｂ）がペンタイル（ｐｅｎｔｉｌｅ）構造で配置されている場合、発光色単位でフレームデータの平均値を計算して、計算された平均値を用いてポーチデータが設定されてもよい。
【００９４】
図１４に図示されたように、画素は第１データライン（ＤＬ１）に連結されて第１色光および第２色光を交互に表示する第１画素列（ＰＣ１）、および第２データライン（ＤＬ２）に連結されて第３色光を表示する第２画素列（ＰＣ２）を含み、第１色光および第２色光は互いに異なった赤色光または青色光であり、第３色光は、緑色光であってもよい。ペンタイル構造の表示パネル１００ｂは、ストライプ構造の表示パネルに比べて赤色画素（Ｒ）および青色画素（Ｂ）の数がそれぞれ１／２に減って、それに伴って、全体画素の数がストライプ構造に比べて２／３に減るので表示パネル１００ｂの開口率を高めてもよい。また、ペンタイル構造の表示パネル１００ｂはレンダリングを通じてストライプ構造の表示パネルと同一な認知解像度を実現することができる。
【００９５】
図１５に図示されたように、ポーチデータ生成部は第１色光、第２色光、および第３色光を含む発光色単位でフレームデータの平均値を計算して、第１画素列（ＰＣ１）に相応するポーチデータは第１色光に相応するフレームデータの平均値および第２色光に相応するフレームデータの平均値が交互に出力されるように設定され、第２画素列（ＰＣ２）に相応するポーチデータは第３色光に相応するフレームデータの平均値と設定されてもよい。例えば、第１データライン（ＤＬ１）に連結された第１画素列（ＰＣ１）は赤色画素（Ｒ）および青色画素（Ｂ）を含んでもよい。第１画素列（ＰＣ１）のポーチデータは第１画素列（ＰＣ１）に含まれた赤色画素（Ｒ）および青色画素（Ｂ）に相応するフレームデータの平均値が交互して出力されるように設定されてもよい。したがって、ポーチ区間で第１データライン（ＤＬ１）には実質的に第１データライン（ＤＬ１）の平均電圧が印加されてカップリング変化を最小化することができる。また、第２データライン（ＤＬ２）に連結された第２画素列（ＰＣ２）は、緑色画素（Ｇ）を含んでもよい。第２画素列（ＰＣ２）のポーチデータは、第２画素列（ＰＣ２）に含まれた緑色画素（Ｇ）に相応するフレームデータの平均値が設定されてもよい。
【００９６】
図１６は、図１の有機発光表示装置の画素配置のまた他の例を示すブロック図である。図１７は、図１６の画素配置でポーチデータを設定する一例を示す波形図である。
【００９７】
図１６および図１７を参照すると、ライン選択部３５０を含む有機発光表示装置であり、データライン単位でフレームデータの平均値を計算してデータラインのポーチデータを設定して、選択されたデータラインに選択されたデータラインのポーチデータを出力してもよい。
【００９８】
図１６に図示されたように、有機発光表示装置はデータ駆動部３００および表示パネル１００ｃの間に位置して、ライン選択信号（ＣＬＡ）、ライン選択信号（ＣＬＢ）に応答してデータ信号を第１データライン（ＤＬ１）および第２データライン（ＤＬ２）に選択的に提供するライン選択部３５０をさらに含んでもよい。一実施例において、ライン選択部３５０は、データラインを選択するためのデマルチプレッキサ（ｄｅｍｕｌｔｉｐｌｅｘｅｒ）を含んでもよい。ライン選択部３５０を含む有機発光表示装置はデータ駆動部３００の出力端と連結されたエムプ（ＡＭＰ）の個数を減らすので、有機発光表示装置の製造コストが節減されてもよい。
【００９９】
図１７に図示されたように、ポーチデータ生成部は、第１データライン（ＤＬ１）に連結された画素に相応するフレームデータの平均値を計算して第１データライン（ＤＬ１）のポーチデータを設定して、第２データライン（ＤＬ２）に連結された画素に相応するフレームデータの平均値を計算して第２データライン（ＤＬ２）のポーチデータを設定してもよい。すなわち、データライン単位でフレームデータの平均値を計算してデータラインのポーチデータを設定してもよい。例えば、第１ポーチ区間（ＰＯＲＣＨ［１］）でライン選択部３５０によって第１データライン（ＤＬ１）が選択される場合、第１データライン（ＤＬ１）のポーチデータが第１データライン（ＤＬ１）に供給されてもよい。引き続き、第１ポーチ区間（ＰＯＲＣＨ［１］）でライン選択部３５０によって第２データライン（ＤＬ２）が選択される場合、第２データライン（ＤＬ２）のポーチデータが第２データライン（ＤＬ２）に供給されてもよい。したがって、スキャン信号（Ｓ）が印加されないポーチ区間（ＰＯＲＣＨ［１］、ＰＯＲＣＨ［２］）でもライン選択信号（ＣＬＡ）、ライン選択信号（ＣＬＢ）は、アクティブ区間（ＡＣＴＩＶＥ［ｎ］）と同一に印加して、データライン単位または発光色単位の平均値でポーチデータが設定されることによって、クロストークの影響を減らしてもよい。
【０１００】
図１８は、図１の有機発光表示装置の画素配置のまた他の例を示すブロック図である。図１９は、図１８の画素配置でポーチデータを設定する一例を示す波形図である。
【０１０１】
図１８および図１９を参照すると、ライン選択部３５０を含み、画素がペンタイル構造に配置された有機発光表示装置であり、データライン単位でフレームデータの平均値を計算してデータラインのポーチデータを設定して、選択されたデータラインにデータラインのポーチデータを出力してもよい。
【０１０２】
図１８に図示されたように、有機発光表示装置はデータ駆動部３００および表示パネル１００ｄの間に位置して、ライン選択信号（ＣＬＡ）、ライン選択信号（ＣＬＢ）に応答してデータ信号を第１データライン（ＤＬ１）および第２データライン（ＤＬ２）に選択的に提供するライン選択部３５０をさらに含んでもよい。画素は、第１データライン（ＤＬ１）に連結されて第１色光および第２色光を交互して表示する第１画素列（ＰＣ１）、および第２データライン（ＤＬ２）に連結されて第３色光を表示する第２画素列（ＰＣ２）を含み、第１色光および第２色光は互いに異なった赤色光または青色光であり、第３色光は緑色光であってもよい。
【０１０３】
図１９に図示されたように、ポーチデータ生成部は、第１データライン（ＤＬ１）に連結された赤色画素（Ｒ）に相応するフレームデータの平均値および青色画素（Ｂ）に相応するフレームデータの平均値を計算してもよい。また、ポーチデータ生成部は第２データライン（ＤＬ２）に連結された緑色画素（Ｇ）に相応するフレームデータの平均値を計算してもよい。第１ポーチ区間（ＰＯＲＣＨ［１］）でライン選択部３５０によって第１データライン（ＤＬ１）が選択される場合、第１データライン（ＤＬ１）の赤色画素（Ｒ）のポーチデータが第１データライン（ＤＬ１）に供給されてもよい。第１ポーチ区間（ＰＯＲＣＨ［１］）でライン選択部３５０によって第２データライン（ＤＬ２）が選択される場合、第２データライン（ＤＬ２）の緑色画素（Ｇ）のポーチデータが第２データライン（ＤＬ２）に供給されてもよい。引き続き、第２ポーチ区間（ＰＯＲＣＨ［２］）でライン選択部３５０によって第１データライン（ＤＬ１）が選択される場合、第１データライン（ＤＬ１）の青色画素（Ｂ）のポーチデータが第１データライン（ＤＬ１）に供給されてもよい。第２ポーチ区間（ＰＯＲＣＨ［２］）でライン選択部３５０によって第２データライン（ＤＬ２）が選択される場合、第２データライン（ＤＬ２）の緑色画素（Ｇ）のポーチデータが第２データライン（ＤＬ２）に供給されてもよい。したがって、スキャン信号（Ｓ）が印加されないポーチ区間（ＰＯＲＣＨ［１］、ＰＯＲＣＨ［２］）でもライン選択信号（ＣＬＡ）、ライン選択信号（ＣＬＢ）は、アクティブ区間（ＡＣＴＩＶＥ［ｎ］）と同一に印加して、データ信号は、データライン単位の平均値を出力することによって、実質的な平均電圧を維持してもよい。
【０１０４】
図２０は、本発明の実施例に係る有機発光表示装置の駆動方法を示す手順図である。
【０１０５】
図２０を参照すると、ポーチ区間のポーチデータはフレームデータの少なくとも一部に対する平均値に基づいて生成（Ｓ１２０）されてもよい。一実施例において、ポーチデータは毎フレーム区間で当該フレームデータの平均値を計算して、計算された平均値に基づいて生成されてもよい。
【０１０６】
データラインのポーチデータは、データライン単位でフレームデータの平均値を計算して設定されてもよい。一実施例において、データラインのポーチデータはデータラインに連結されたすべての画素に相応するフレームデータの平均値と設定されてもよい。他の実施例において、データラインのポーチデータはデータラインに連結された画素のうち、既指定された一部に相応するフレームデータの平均値と設定されてもよい。また他の実施例において、データラインのポーチデータはデータラインに連結された画素のうち、ランダムで選ばれた一部に相応するフレームデータの平均値と設定されてもよい。
【０１０７】
また、ポーチデータは、画素が表示する発光色単位でフレームデータの平均値を計算することによって設定されてもよい。一実施例において、ポーチデータは画素のうち、既指定された一部に相応するフレームデータの平均値と設定されてもよい。他の実施例において、ポーチデータは、画素のうち、ランダムで選ばれた一部に相応するフレームデータの平均値が設定されてもよい。
【０１０８】
ただし、フレームデータの少なくとも一部に対する平均値に基づいてポーチデータを生成する多様な方法に対しては上述したため、それに対する重複する説明は省略する。
【０１０９】
ポーチ区間においてポーチデータに相応するデータ信号が複数の画素に提供（Ｓ１４０）されて、アクティブ区間においてフレームデータに相応するデータ信号が画素に提供（Ｓ１６０）してもよい。例えば、ポーチ区間において画素にデータラインの平均電圧が印加されるようにポーチデータに相応するデータ信号が画素に印加されることによって、カップリングの影響を減少させてもよい。
【０１１０】
具体的に、有機発光表示装置がポーチ区間の間発光する場合、データラインに対するクロストークの大きさはポーチデータに影響を受ける。ポーチ区間で発光する領域とポーチ区間以外の区間で発光する領域のクロストークによる変動電圧の差が大きい場合、ストライプ現象が発生する可能性がある。特に、発光時間を制御するディミングを用いて低輝度駆動モードで有機発光表示装置を駆動する場合、クロストークによって発生する輝度の変化が相対的に大きいのでストライプ現象が著しく示してもよい。したがって、ポーチ区間でフレームデータの少なくとも一部に対する平均値に基づいて生成されたポーチデータを印加することによって、ポーチ区間で発光する領域とポーチ区間以外の区間で発光する領域に対するクロストークによる変動電圧を同一な水準に設定でき、ストライプ現象を防止してもよい。
【０１１１】
このように、有機発光表示装置の駆動方法は、ディミングを用いて低輝度駆動モードでストライプ現象を防止して、表示品質を高めてもよい。
【０１１２】
以上、本発明の実施例に係る有機発光表示装置および有機発光表示装置の駆動方法に対し、図面を参照して説明したが、前記説明は例示的なものとして本発明の技術的思想を逸脱しない範囲で、該当技術分野で通常の知識を持った者によって修正および変更される。例えば、前記では赤色画素、青色画素、および緑色画素を含む表示パネルを説明したが、白色画素をさらに含む表示パネルにも同一に適用されてもよい。また、表示パネルに含まれた画素の配置構造は前記実施例に限定されるのではない。
【産業上の利用可能性】
【０１１３】
本発明は、有機発光表示装置を備えた電子機器に多様に適用されてもよい。例えば、本発明はコンピュータ、ノートブック、携帯電話、スマートフォン、スマートパッド、Ｐ．Ｍ．Ｐ．（ＰＭＰ）、ピディエイ（ＰＤＡ）、ＭＰ３プレーヤー、デジタルカメラ、ビデオビデオカメラなどに適用されてもよい。
【０１１４】
上記に本発明の実施例を参照して説明したが、当該技術分野で通常の知識を持った者は、下記の特許請求範囲に記載された本発明の思想および領域から逸脱しない範囲内で、本発明を多様に修正および変更させる可能性があることを理解する。
【符号の説明】
【０１１５】
１００           表示パネル
２００           スキャン駆動部
３００           データ駆動部
４００           発光制御駆動部
５００           電源供給部
６００           制御部
６５０           ポーチデータ生成部
１０００         有機発光表示装置
【図１】
2016091003.tif 000006
【図２】
2016091003.tif 000007
【図３】
2016091003.tif 000008
【図４】
2016091003.tif 000009
【図５】
2016091003.tif 000010
【図６】
2016091003.tif 000011
【図７】
2016091003.tif 000012
【図８】
2016091003.tif 000013
【図９】
2016091003.tif 000014
【図１０】
2016091003.tif 000015
【図１１】
2016091003.tif 000016
【図１２】
2016091003.tif 000017
【図１３】
2016091003.tif 000018
【図１４】
2016091003.tif 000019
【図１５】
2016091003.tif 000020
【図１６】
2016091003.tif 000021
【図１７】
2016091003.tif 000022
【図１８】
2016091003.tif 000023
【図１９】
2016091003.tif 000024
【図２０】
2016091003.tif 000025